(57)【特許請求の範囲】
【請求項１】
内容物を充填する充填凹部を有する容器本体と、この容器本体に開閉可能に連結された蓋体とを有するコンパクト容器であって、
容器本体は、前記充填凹部を少なくとも１つ有する中皿部材と、この中皿部材を収納する収納凹部を有して容器本体の外観形状を形作る収納部材とを備え、
この収納部材と中皿部材との間に、中皿部材の上面を覆うシート部材と、このシート部材の一端が固定されて、当該シート部材の巻き取り及び引き出しを可能にする芯部材とを備えるロール機構が設けられているとともに、
中皿部材との間に、充填凹部を取り囲む開口部を有してシート部材を巻き取り及び引き出し可能に介在させて当該シート部材を案内する枠部材を設けたことを特徴とする、コンパクト容器。
【請求項２】
請求項１において、シート部材に、ロール機構からの引き出しのための把手を設けたことを特徴とする、コンパクト容器。
【請求項３】
請求項１又は２において、ロール機構は、シート部材を巻き取るための付勢力を与える付勢手段を備えることを特徴とする、コンパクト容器。
【請求項４】
請求項１乃至３のいずれか１項において、枠部材及びシート部材に、このシート部材を枠部材に対して取り外し可能に係止して当該枠部材に対して位置決めする係止手段を設けたことを特徴とする、コンパクト容器。
【請求項５】
請求項１乃至４のいずれか１項において、ロール機構を中皿部材と一体に設けたことを特徴とする、コンパクト容器。
【発明の詳細な説明】
【技術分野】
【０００１】
本発明は、内容物の充填凹部を局所的に遮蔽することができるコンパクト容器に関するものである。
【背景技術】
【０００２】
従来のコンパクト容器には、例えば、粉末化粧料の飛散防止を目的に、その充填凹部をメッシュ（網体）で覆ったものがある（例えば、特許文献１参照）。
【先行技術文献】
【特許文献】
【０００３】
【特許文献１】特開２００２−２９１５２１号公報
【発明の概要】
【発明が解決しようとする課題】
【０００４】
一方、コンパクト容器には、例えば、複数の充填凹部が形成されたものがあるが、これらの充填凹部を個別的に覆うことで、内容物の飛散や品質保持を図るものは未だ提案されていなかった。
【０００５】
本発明の目的とするところは、充填凹部を有する中皿部材のうち、内容物の取り出しに際して不要とされる部分のみを局所的に覆うことができる、新規なコンパクト容器を提供することにある。
【課題を解決するための手段】
【０００６】
本発明は、内容物を充填する充填凹部を有する容器本体と、この容器本体に開閉可能に連結された蓋体とを有するコンパクト容器であって、
容器本体は、前記充填凹部を少なくとも１つ有する中皿部材と、この中皿部材を収納する収納凹部を有して容器本体の外観形状を形作る収納部材とを備え、
この収納部材と中皿部材との間に、中皿部材の上面を覆うシート部材と、このシート部材の一端が固定されて、当該シート部材の巻き取り及び引き出しを可能にする芯部材とを備えるロール機構が設けられているとともに、
中皿部材との間に、充填凹部を取り囲む開口部を有してシート部材を巻き取り及び引き出し可能に介在させて当該シート部材を案内する枠部材を設けたことを特徴とするものである。
【０００７】
本発明によれば、シート部材に、ロール機構からの引き出しのための把手を設けることが好ましい。
【０００８】
また、枠部材は、例えば、シート部材に把手を固定する基部をシート部材の幅方向に延在させ、この基部の両端をそれぞれ、中皿部材との間に介在させることで、シート部材を案内する。
【０００９】
更に、本発明によれば、ロール機構に、シート部材を巻き取るための付勢力を与える付勢手段を設けることができる。付勢手段としては、例えば、芯部材の両端それぞれに、ゴムに代表される弾性材料からなる樹脂ばねや、ぜんまいばねや捩りコイルばねに代表される金属性のばねを設け、芯部材の回転に伴う捩れによって生じる復元力として利用するものが挙げられる。
【００１０】
特に、付勢手段を設ける場合、枠部材及びシート部材に、このシート部材を枠部材に対して取り外し可能に係止して当該枠部材に対して位置決めする係止手段を設けることができる。係止手段としては、例えば、互いに嵌合する２つの凸部、或いは、凸部及び凹部が挙げられる。また、他の係止手段としては、例えば、枠部材に凸部を設け、この凸部を把手の基部の両端にそれぞれ、引っ掛けることも可能である。更に、本発明に従えば、シート部材側に凸部を設け、この凸部を枠部材側に設けた凹部に嵌合させるなど、シート部材側に設けた構成と枠部材側に設けた構成を逆にすることも可能である。
【００１１】
また、本発明によれば、ロール機構を中皿部材と一体に設けることができる。なお、本発明に従えば、容器本体に対して蓋体を開閉させる手段としては、例えば、容器本体に対してヒンジを介して開閉可能に連結し、或いは、容器本体に対して螺着されるスクリューキャップとすることができる。
【発明の効果】
【００１２】
本発明のコンパクト容器によれば、ロール機構からシート部材を引き出すことで、内容物の充填凹部が１つの場合は充填凹部を局所的に覆うことができ、また、充填凹部が複数の場合は個別的に覆うことができる。また、シート材をロール機構で巻き取れば、充填凹部が１つの場合はその全体を開放することができ、また、充填凹部が複数の場合は全ての充填凹部を開放することができる。
【００１３】
従って、本発明によれば、充填凹部を有する中皿部材のうち、内容物の取り出しに際して不要とされる部分のみを局所的に覆うことができることから、内容物の飛散防止や品質保持機能に優れた、新規のコンパクト容器を提供することができる。
【００１４】
また、シート部材に、ロール機構からの引き出しのための把手を設ければ、操作性の良好な使い易いものとなる。同様に、中皿部材との間に、シート部材を巻き取り及び引き出し可能に介在させて当該シート部材を案内する枠部材を設ければ、操作性の良好な使い易いものとなる。
【００１５】
更に、ロール機構に、シート部材を巻き取るための付勢力を与える付勢手段を設ければ、引き出されたシート部材から手を離すだけで、当該シート部材を自動的に収納することができる。特に、この場合、枠部材及びシート部材に、このシート部材を枠部材に対して取り外し可能に係止して当該枠部材に対して位置決めする係止手段を設ければ、所望の位置決めを簡単な構成で実現でき、コスト性の点においても有効である。
【００１６】
また、ロール機構を中皿部材と一体に設ければ、上述の効果に加え、組立作業性の点においても有効である。
【図面の簡単な説明】
【００１７】
【図１】(a)〜(c)はそれぞれ、本発明の第１の形態であるコンパクト容器であって、その容器本体側がシート部材で遮蔽される前の状態を示す上面図、(a)のＡ−Ａ断面図及びＢ−Ｂ断面図である。
【図２】(a),(b)はそれぞれ、同形態の容器本体側がシート部材で遮蔽された状態を示す上面図、(a)のＡ−Ａ断面図である。
【図３】(a)〜(c)はそれぞれ、同形態に係る、枠部材を示す上面図、(a)のＣ−Ｃ断面図及びＤ−Ｄ断面図である。
【図４】(a)〜(c)はそれぞれ、同形態に係る、中皿部材を示す上面図、(a)のＥ−Ｅ断面図及びＦ−Ｆ断面図である。
【図５】同形態において、容器本体側がシート部材で遮蔽された状態をロール機構側から示す要部断面図である。
【図６】同形態において、容器本体側がシート部材で遮蔽された状態をロール機構側と対向する側から示す要部断面図である。
【図７】(a),(b)はそれぞれ、同形態に係る、ロール機構に設けられた付勢手段の一例を、シート部材の巻き取り状態及び引き出し状態で示す斜視図である。
【図８】(a),(b)はそれぞれ、同形態に係る、枠部材及びシート部材に設けられた係止手段の一例を、係止前の状態及び係止後の状態で示す斜視図である。
【図９】(a)〜(c)はそれぞれ、本発明の第２の形態であるコンパクト容器であって、その容器本体側がシート部材で遮蔽された状態を示す上面図、(a)のＡ−Ａ断面図及びＢ−Ｂ断面図である。
【発明を実施するための形態】
【００１８】
以下、図面を参照して、本発明である、コンパクト容器を詳細に説明する。
【００１９】
１は、粉末状の化粧料を充填する充填凹部ｎaを有する容器本体である。容器本体１は、４つの充填凹部ｎaを有して化粧料を保持する中皿部材１ａ（図４参照）と、この中皿部材１ａを収納する収納凹部ｎbを有して容器本体１の外観形状を形作る収納部材１ｂとを備える。
【００２０】
中皿部材１ａの上端面は、網体（メッシュ）Ｍで覆われている。網体Ｍは、中皿部材１ａの上端面に、図４(a)に示すように、４つの充填凹部ｎaを取り囲むように周溝１ｇを形成し、この周溝１ｇに、図１(b)等に示すように、押え部材１ｈを嵌合させることによって保持されている。これにより、従来と同様、網体Ｍを用いることでの、化粧料の飛散防止等の効果を維持できる。
【００２１】
また、収納部材１ｂには、収納部材１ｂの上端面に合さることで容器本体１全体を閉じる蓋体２ａと、中皿部材１ａの上端面に合さることで充填凹部ｎaを気密保持する中蓋２ｂとがそれぞれ、ピン部材Ｐを用いたヒンジ部Ｈ1，Ｈ2を介して開閉可能に連結されている。なお、蓋体２ａは、収納部材１ｂの上端面に合さるとき、ヒンジ部Ｈ1，Ｈ2と対向する位置に揺動可能に設けられたフックピース１ｆに係止されることでロックされる一方、このロックはフックピース１ｆを容器本体１側に押し込むことで解除される。
【００２２】
符号３は、中皿部材１ａと収納部材１ｂとの間に配置されたロール機構である。ロール機構３は、図５に示すように、中皿部材１ａの上面を覆うシート部材３ａと、このシート部材３ａの一端が固定されて、当該シート部材３ａの巻き取り及び引き出しを可能にする芯部材３ｂとを備え、この芯部材３ｂを収納するケース３ｃによって中皿部材１ａに一体に連結されている。シート部材３ａとしては、例えば、可撓性を有するフィルム、ＰＥＴ（ポリエチレンテレフタレート）等の樹脂フィルムが挙げられる。
【００２３】
これにより、芯部材３ｂに巻き取られたシート部材３ａは、図５の矢印ｄ1に示す方向に、芯部材３ｂが回転することで、ケース３ｃに形成したスリット孔３ｓを通して引き出される一方、図５の矢印ｄ2に示す方向に、芯部材３ｂが回転することで、スリット孔３ｓを通してケース３ｃ内に巻き取られる。
【００２４】
また、シート部材３ａの他端には、ロール機構３からの引き出しのための把手３ｇが設けられている。把手３ｇの基部（以下、「把手基部」）３ｅは、図１(c)等に示すように、シート部材３ａの幅方向に延在し、把手３ｇをシート部材３ａに固定する。
【００２５】
また、中皿部材１ａには、この中皿部材１ａとの間に、シート部材３ａを巻き取り及び引き出し可能に介在させて当該シート部材３ａを案内する枠部材４が設けられている。枠部材４は、図１(a)等に示すように、４つの充填凹部ｎaを取り囲む開口部を有し、図１(c)等に示すように、把手基部３ｅの両端部ｅをそれぞれ、中皿部材１aとの間に介在させることで、シート部材３ａの巻き取り及び引き出しを案内する。
【００２６】
これにより、使用者は、図５の破線に示す位置から図６の実線に示す位置まで把手３ｇをスライドさせることで、図２(a)に示すように、中皿部材１ａ全体をシート部材３ａによって遮蔽することができる一方、反対に、図６の実線に示す位置から図５の破線に示す位置まで把手３ｇをスライドさせることで、図１(a)に示すように、中皿部材１ａ（充填凹部ｎa）を外界に開放することができる。
【００２７】
なお、本形態では、把手基部３ｅは、図７や図８に示すように、その平面形状がシート部材３ａの幅方向に延在する矩形を形作っているが、本発明に従えば、例えば、その両端部ｅをそれぞれ幅方向に対して垂直に延在させることで、コ字形を形作るものとすることも可能である。この場合、シート部材３ａ先端部分は、その側面部分を含めて把手基部３ｅに取り囲まれるように、当該把手基部３ｅに固定することができる。
【００２８】
芯部材３ｂは、例えば、芯部材３ｂの両端を容器本体１（収納部材１ｂ）で回転可能に保持しつつ、その一端を外側に突出させるなどして、容器本体１の外側から操作することも可能であるが、本形態では、図７に示すように、芯部材３ｂの両端にそれぞれ付勢手段３ｄ設け、この付勢手段３ｄを介して、芯部材３ｂの両端をそれぞれケース３ｃ等の容器本体１側に固定する。
【００２９】
付勢手段３ｄは、芯部材３ｂに対してシート部材を巻き取るための付勢力を与える。付勢手段３ｄとしては、例えば、ゴムに代表される弾性材料からなる樹脂ばねや、ぜんまいばねや捩りコイルばね（トーションバーを含む）に代表される金属ばねが挙げられる。
【００３０】
これにより、図７(a)に示すように、シート部材３ａを巻き取った状態を常態として、同図に示す状態のまま、付勢手段３ｄを介して芯部材３ｂを容器本体１側に組み付けると、図７(b)に示すように、シート部材３ａを付勢手段３ｄに抗して引き出した後、シート部材３ａを離したとき、芯部材３ｂは、付勢手段３ｄの復元力によって、シート部材３ａを巻き取りながら、図７(a)に示す常態の位置に戻るまで自動的に回転する。
【００３１】
更に、枠部材４及びシート部材３ａに、このシート部材３ａを枠部材４に対して位置決めする係止手段Ｆが設けられている。係止手段Ｆは、例えば、図８(a),(b)に示すように、把手基部３ｅの両端部ｅと、これら両端部ｅがそれぞれ引っ掛かる凸部４ａとで構成する。
【００３２】
また、本形態に係る、４つの充填凹部ｎaは、図１(a)等に示すように、ヒンジ部Ｈ1，Ｈ2とフックピース１ｆとを前後方向（図面左右方向）とすると、この前後方向に一列をなす２つの充填凹部ｎaが左右方向（図面上下方向）二列に配置されているため、本形態では、係止手段Ｆを、４つの充填凹部ｎaが各列毎に遮蔽できるように、枠部材４の両側に設けている。
【００３３】
端部ｅはそれぞれ、シート部材３ａの引き出し時にあっては、図８(a)に示すように、凸部４ａに引っ掛かるが、シート部材３ａを所定以上の力で引き出すと、凸部４ａを乗り越えた後、図８(b)に示すように、凸部４ａに引っ掛かることで、付勢手段３ｄに抗してシート部材３ａを凸部４ａの位置に位置決めする。
【００３４】
逆に、シート部材３ａの巻き取り時にあっては、端部ｅが図８(b)に示す状態から、図８(a)に示すように、凸部４ａを乗り越えると、シート部材３ａは付勢手段３ｄの付勢力によってケース３ｃ内に自動的に巻き取られる。なお、係止手段Ｆは、本形態のように、前後方向に２組設けることで、充填凹部ｎaを列ごとに位置決めするだけでなく、少なくとも１組設けることとしてもよい。
【００３５】
また、係止手段Ｆは、把手基部３ｅの端部ｅに凸部を設けることで枠部材４の凸部４ａに嵌合させる構成とし、或いは、把手基部３ｅの端部ｅに凹部を設けることで枠部材４の凸部４ａに嵌合させる構成とすることも可能である。更に、本発明に従えば、シート部材３ａ側に凸部を設け、この凸部を枠部材４側に設けた凹部に嵌合させるなど、シート部材３ａ側に設けた構成と枠部材４側に設けた構成を逆にすることも可能である。また、他の係止手段としては、例えば、枠部材に凸部を設け、この凸部を把手の基部の両端にそれぞれ、引っ掛けることも可能である。即ち、係止手段Ｆは、枠部材４の内周面に設けてあればよく、シート部材３aが保持できる構造であれば、どのような形状をしていてもよい。また、係止手段Ｆは、少なくとも一つあればよく、対向位置に複数設けることが望ましい。
【００３６】
図９は、本発明の第２の形態であるコンパクト容器である。以下の説明において、第１の形態と実質的に同一である部分は、同一の符号をもって、その説明を省略する。
【００３７】
本形態は、容器本体１側に設けた網体Ｍを省略することで、例えば、粘性の高い化粧料を充填保持する場合を考慮したものである。また、本形態では、容器本体１に、ブラシ等の塗布具Ｔを収納するための凹部ｎcを増設している。
【００３８】
なお、同図では、シール部材３ａは、把手基部３ｅの両端ｅを枠部材４の中間付近に設けられた凸部４ａに係止することで、４つの充填凹部ｎaのうち、左右方向の充填凹部ｎaのみを遮蔽しているが、第１の形態と同様、把手基部３ｅの両端ｅを枠部材４の隅部付近に設けられた凸部４ａに係止することで、４つの充填凹部ｎa全てを遮蔽することや、シート部材３ａを完全に巻き取ることで、４つの充填凹部ｎa全てを開放することも可能である。
【００３９】
上述のとおり、本発明に従うコンパクト容器によれば、ロール機構３からシート部材３ａを引き出すことで、前後方向に一列をなす２つの充填凹部ｎaを列毎に個別的に覆うことができ、また、シート材３ａをロール機構３で巻き取れば、４つの充填凹部ｎaを全ての充填凹部を開放することができる。
【００４０】
従って、本発明に従うコンパクト容器によれば、充填凹部ｎaを有する中皿部材１ａのうち、化粧料の取り出しに際して不要とされる部分のみを局所的に覆うことができることから、粉末状の化粧料の飛散防止や品質保持機能に優れた、新規のコンパクト容器を提供することができる。
【００４１】
また、本形態のように、シート部材３ａに、ロール機構３からの引き出しのための把手３ｇを設ければ、操作性の良好な使い易いものとなる。同様に、本形態のように、中皿部材１ａとの間に、シート部材３ａを巻き取り及び引き出し可能に介在させて当該シート部材３ａを案内する枠部材４を設ければ、操作性の良好な使い易いものとなる。
【００４２】
更に、本形態のように、ロール機構３に、シート部材３ａを巻き取るための付勢力を与える付勢手段３ｄを設ければ、引き出されたシート部材３ａから手を離すだけで、当該シート部材３ａを自動的に収納することができる。特に、本形態の如く、枠部材４及びシート部材３ａに、このシート部材３ａを枠部材４に対して取り外し可能に係止して当該枠部材４に対して位置決めする係止手段Ｆを設ければ、所望の位置決めを簡単な構成で実現でき、コスト性の点においても有効である。
【００４３】
また、本形態のように、ロール機構３を中皿部材１ａと一体に設ければ、上述の効果に加え、組立作業性の点においても有効である。
【００４４】
上述したところは、本発明の一形態を示したに過ぎず、特許請求の範囲内において、種々の変更を加えることができる。例えば、本発明は、充填凹部ｎaが１つの場合にも適用することができる。この場合は、シート材３ａをロール機構３から引き出すことで、その引き出し量に応じて充填凹部ｎaを局所的に覆うことができ、また、シート材３ａをロール機構３で巻き取れば、充填凹部ｎa全体を開放することができる。更に、上述の各形態に採用された各構成はそれぞれ、互いに適宜、組み合わせることができる。
【産業上の利用可能性】
【００４５】
本発明は、化粧料に限らず、薬剤等の様々な内容物に適用することができる。また、内容物は、上述のとおり、粉状物に限定されることなく、液状のものや粘性を有するものであってもよい。
【符号の説明】
【００４６】
１    容器本体
１ａ  中皿部材
１ｂ  収納部材
１ｇ  周溝
１ｈ  押え部材
２ａ  蓋体
２ｂ  中蓋
３    ロール機構
３ａ  シート部材
３ｂ  芯部材
３ｃ  ケース
３ｄ  付勢手段
３ｅ  把手基部の端部
３ｓ  スリット孔
３ｇ  把手
４    枠部材
４ａ  凸部（係止手段）
ｅ    把手基部の端部（係止手段）
Ｈ1   ヒンジ部（蓋体側）
Ｈ2   ヒンジ部（中蓋側）
Ｍ    網体（メッシュ）
ｎa   充填凹部
ｎb   収納凹部（中皿部材用）
ｎc   収納凹部（塗布具用）
【図１】
0005460220.tif 000002
【図２】
0005460220.tif 000003
【図３】
0005460220.tif 000004
【図４】
0005460220.tif 000005
【図５】
0005460220.tif 000006
【図６】
0005460220.tif 000007
【図７】
0005460220.tif 000008
【図８】
0005460220.tif 000009
【図９】
0005460220.tif 000010